(57)【要約】【課題】水中などのように複雑な操作が困難な環境下において、少ない部材操作で簡単にマニュアルWB補正を提供する。【解決手段】被写体を撮像し、得られた画像信号を処理する手段と、前記画像信号の内、白色と判定された画像信号に基づき、ホワイトバランス補正を行う第１のホワイトバランス補正手段と、補正したい二つのパラメータの軸を基に二つのパラメータをユーザが設定する設定手段と、前記第１のホワイトバランス補正値と前記設定手段により得られた情報と黒体放射軸の情報を基にホワイトバランス補正を行う第２のホワイトバランス補正手段と、前記設定手段により得られた設定値に関する情報を表示する表示手段と、前記黒体放射軸から延長された水中ホワイトバランスに特化した軸と、前記第２のホワイトバランス補正手段において、前記水中ホワイトバランスに特化した軸が前記表示手段に対して水平乃至垂直に表示されるように回転させて表示する手段を備えることを特徴とする。【選択図】図１
2014143455.tif 000002
【特許請求の範囲】
【請求項１】
被写体を撮像し、得られた画像信号を処理する手段と、
前記画像信号の内、白色と判定された画像信号に基づき、ホワイトバランス補正を行う第１のホワイトバランス補正手段と、
補正したいパラメータの軸を基にユーザがパラメータを設定する設定手段と、
前記第１のホワイトバランス補正値と前記設定手段により得られた情報を基にホワイトバランス補正を行う第２のホワイトバランス補正手段と、
前記設定手段により得られた設定値に関する情報を表示する表示手段と、
水中における色の分布傾向から算出された水中ホワイトバランスに特化した軸と、
前記第２のホワイトバランス補正手段において、前記水中ホワイトバランスに特化した軸が前記表示手段に対して水平乃至垂直に表示されるように回転させて表示する手段を備えることを特徴とする撮像装置。
【請求項２】
前記補正したいパラメータの軸が色温度方向（Blue−Amber方向）あるいはGreen−Magenta方向であることを特徴とする請求項１に記載の撮像装置。
【請求項３】
前記補正したいパラメータの軸がBlue方向あるいはRed方向のゲインであることを特徴とする請求項１に記載の撮像装置。
【請求項４】
前記表示手段において原点表示されるものは第１のホワイトバランス補正値であることを特徴とする請求項１に記載の撮像装置。
【請求項５】
前記第２のホワイトバランス補正値はEVF（Electronic View Finder）に反映することで設定値を確認することが可能な請求項１に記載の撮像装置。
【請求項６】
前記水中ホワイトバランスに特化した軸が黒体放射軸から延長された軸であることを特徴とする請求項１に記載の撮像装置。
【請求項７】
前記水中ホワイトバランスに特化した軸は水中モード乃至水中WB時のみ有効であることを特徴とする請求項１に記載の撮像装置。
【請求項８】
補正ガイド表示を前記水中ホワイトバランスに特化した軸に合わせて表示することを特徴とする請求項１に記載の撮像装置。
【請求項９】
撮像装置の姿勢に応じて前記表示装置に対する前記水中ホワイトバランスに特化した軸の向きを変更することを特徴とする請求項１に記載の撮像装置。
【請求項１０】
前記水中ホワイトバランスに特化した軸の回転に伴い、前記表示装置に表示される前記水中ホワイトバランスに特化した軸を表示する空間の広さ、又は、一回の部材操作で移動する補正量は、前記水中ホワイトバランスに特化した軸の回転前と異なることを特徴とする請求項１に記載の撮像装置。
【請求項１１】
前記撮像装置の制御方法の手順をコンピュータに実行させるためのプログラム。
【請求項１２】
前記撮像装置の制御方法の手順をコンピュータに実行させるためのプログラムが記憶されたコンピュータで読み取り可能な記憶媒体。
【発明の詳細な説明】
【技術分野】
【０００１】
本発明は、撮像装置、表示制御方法、プログラム及び記録媒体に係わり、特に複雑な操作が困難な環境に適したマニュアルホワイトバランス補正を行う技術に関するものである。
【背景技術】
【０００２】
撮像素子から出力された信号はAD変換によってデジタル化され複数のブロックに分割される。そのブロック信号はR、G、Bを含む色信号で構成されており、そのブロックの色評価値算出例として（1）式がある。
Cx[i] =（R[i]−B[i]）/  Y[i] × 1024
Cy[i] =（R[i] + B[i]−2G[i]）/  Y[i] × 1024          ・・・（1）
（ただし、Y[i] = R[i] + 2G[i] + B[i]）
そして予め設定した白検出範囲に色評価値（Cx[i]、Cy[i]）が含まれる場合は、そのブロックが白であると判定し、白検出範囲に入った色画素の積分値SumR、SumG、SumBを算出して、以下（2）式のようにホワイトバランス係数を算出する。
WBCo_R = SumY × 1024 / sumR
WBCo_G = SumY × 1024 / sumG                                  ・・・ （2）
WBCo_B = SumY × 1024 / sumB
※SumY = （sumR + 2 × sumG + SumB） /  4
ただし、上記のように得られたオートホワイトバランス処理は万能ではなく、特に水中のような特殊環境の基でのオートホワイトバランス処理では、補正不足であったり、過補正であったり、補正の方向を間違える等の問題が生じうる。また、光源には追従しているが、撮影環境の雰囲気を残したい場合等もあり、ユーザが意図したホワイトバランス処理を行うことができないこともあった。
【０００３】
特許文献１では、手動設定可能な２種類のホワイトバランスゲインの可変範囲を示すレベルゲージを各々直交させた座標を表示させると共に、座標上における２種類のホワイトバランスゲイン現設定値を指示する現設定値マークを表示させることにより、手動でホワイトバランスを微調整することができると開示されている。
【先行技術文献】
【特許文献】
【０００４】
【特許文献１】特許第０４０２８３５８号明細書
【発明の概要】
【発明が解決しようとする課題】
【０００５】
しかしながら、上述の特許文献１に開示された従来技術では軸の向きに関する詳細な記載は無く、２種類のホワイトバランスゲインを両方動かしたい場合、最低でも上下、左右の２回の部材操作が必要になる。通常の環境下であればさほど煩雑な操作ではないが、水中のように部材操作が困難な環境下では煩わしく感じられる。水中におけるホワイトバランス補正は色温度方向とGreen−Magenta方向に対して斜め方向に補正したい場合が多く、この方向に水中ホワイトバランスに特化した軸を設けた場合、この軸に沿った補正ができるとユーザの手間を減らすことができる。
【課題を解決するための手段】
【０００６】
本発明に係る撮像装置の構成は、
被写体を撮像し、得られた画像信号を処理する手段と、
前記画像信号の内、白色と判定された画像信号に基づき、ホワイトバランス補正を行う第１のホワイトバランス補正手段と、
補正したいパラメータの軸を基にユーザがパラメータを設定する設定手段と、
前記第１のホワイトバランス補正値と前記設定手段により得られた情報を基にホワイトバランス補正を行う第２のホワイトバランス補正手段と、
前記設定手段により得られた設定値に関する情報を表示する表示手段と、
水中における色の分布傾向から算出された水中ホワイトバランスに特化した軸と、
前記第２のホワイトバランス補正手段において、前記水中ホワイトバランスに特化した軸が前記表示手段に対して水平乃至垂直に表示されるように回転させて表示する手段を備えることを特徴とする。
【発明の効果】
【０００７】
本発明によれば、水中などのように複雑な操作が困難な環境下において、少ない部材操作で簡単にマニュアルWB補正を行える。
【図面の簡単な説明】
【０００８】
【図１】第１の実施形態によるホワイトバランス補正機能を備えた撮像装置のブロック図
【図２】第１の実施形態によるホワイトバランス補正値を算出するまでの処理手順を示すフローチャート
【図３】黒体放射軸と水中ホワイトバランスに特化した軸（水中軸）の関係を示した図
【図４】図１のカメラを構成する表示装置１１０のホワイトバランス補正時の表示例
【図５】本発明に係る実施形態によるカメラの姿勢に応じたホワイトバランス補正時の表示例
【発明を実施するための形態】
【０００９】
以下に、添付図面を参照して本発明を実施するための形態について詳細に説明する。以下に説明する実施の形態は、本発明の実現するための一例であり、本発明が適用される装置の構成や各種条件によって適宜修正又は変更されるべきものであり、本発明は以下の実施の形態に限定されるものではない。
【００１０】
［実施形態］
図１は、本発明に係る実施の形態におけるホワイトバランス補正機能を備えた撮像装置の概略構成を示すブロック図である。以下その図に従って実施形態を説明していく。
【００１１】
図１において、レンズ系１０１によって被写体像を表す光線が集光され、ＣＣＤやCMOS等の撮像素子１０２に入射される。撮像素子１０２から出力された映像信号は、アナログ信号処理部１０３において相関二重サンプリング等のアナログ信号処理が行われる。アナログ信号処理部１０３から出力された映像信号は、Ａ／Ｄ変換部１０４においてデジタル信号である画像データに変換され、撮像系制御部１１１及びデジタル信号処理部１０５に入力される。デジタル信号処理部１０５においては、Ａ／Ｄ変換部１０４から入力された画像データに対してホワイトバランス処理、ガンマ補正処理等のデジタル画像信号処理が実行される。
ホワイトバランス補正は、操作部１１３によりユーザが操作しシステム制御部１１２の制御にしたがって実行される。
【００１２】
また、撮像系制御部１１１は、Ａ／Ｄ変換部１０４から入力された画像データ、或いはユーザからの指示に基づいて、露出制御、焦点制御、シャッター制御等をレンズ系１０１や撮像素子１０２に対して実行する。
【００１３】
デジタル信号処理部１０５から出力された画像データは、一時記憶部１０６と表示制御部１０９を介して表示装置１１０に送られる。そして表示装置１１０の表示画面上に被写体像が表示されることになる。また、ホワイトバランス補正時は表示装置１１０にユーザがホワイトバランス補正値を指定するための表示が出る。
【００１４】
通常の撮影においては、撮像装置のシャッター（図示はされていない）の押下が行われると、先ず被写体が撮影され、撮像素子１０２から被写体像を表す画像データが得られる。画像データはデジタル信号処理部１０５から一時記憶部１０６に与えられ、一時的に記憶される。一時記憶部１０６に記憶された画像データは、一時記憶部１０６から読み出され、最終的に記録制御部１０７によって着脱自在の記録媒体１０８に記録され、一連の撮影動作を完了する。
【００１５】
このホワイトバランス補正機能を備えた撮像装置は、単体の装置で構成されても、複数の装置からなるシステムで構成されても構わない。例えば、デジタルカメラやデジタルビデオカメラ単体の内部にレンズ系１０１乃至操作部１１３の全ての構成を備えてもよい。あるいは、レンズ系１０１乃至デジタル信号処理部１０５のみをデジタルカメラやデジタルビデオカメラ内部に持たせ、それ以外をデジタルカメラやデジタルビデオカメラと通信可能な外部のコンピュータに持たせもよい。さらには、レンズ系１０１乃至操作部１１３の全てをネットワーク上の複数のコンピュータに分担して持たせてもよい。
【００１６】
次にホワイトバランス補正値を算出するまでの処理手順について図２のフローチャートを用いて説明する。
【００１７】
図２において、まずステップＳ１０１では第1のホワイトバランス補正値が算出される。ここで言う第1のホワイトバランス補正値とはオートホワイトバランスで算出されるホワイトバランス補正値のことである。
【００１８】
ステップＳ１０２において、第２のホワイトバランス補正を行わない場合はそのまま処理を終了する。つまり、第1のホワイトバランス補正値がそのままホワイトバランス補正値となる。また、第２のホワイトバランス補正を行う場合はステップＳ１０３に進む。
【００１９】
ステップＳ１０３において、水中モードの設定になっているかどうか、つまり水中に特化したホワイトバランスを使用するかどうかで処理が変わる。水中モード設定時はステップＳ１０４へ進み、そうではない場合はステップＳ１０５に進む。水中に特化したホワイトバランスについて図３を用いて説明する。
【００２０】
通常（水中ではないときであり、例えば光源が太陽光のとき）のホワイトバランス補正は図３の黒体放射軸の情報を基に算出される。黒体放射軸の情報とは例えば黒体放射軸との距離や傾きなどのことである。しかし、水中では主に深くなるにつれて第1のホワイトバランス補正値を図３にプロットすると黒体放射軸から離れてしまう傾向がある。そこでこの範囲をカバーするために黒体放射軸から軸を延長し、水中ホワイトバランスに特化した軸として使用する。この軸が図３の水中軸である。ここで第１のホワイトバランス補正値が水中軸周辺に位置するので、第２のホワイトバランス補正も水中軸を利用した補正を行うことが望ましい。例えば、第２のホワイトバランス補正は水中軸方向に補正をすることでよりユーザの意図に合った補正が可能となる。
【００２１】
ステップＳ１０４とステップＳ１０５はユーザがホワイトバランスの補正量を指示した際に内容を反映させる表示装置１１０の表示内容を意味する。図４を用いてステップＳ１０４とステップＳ１０５の詳細を説明する。
【００２２】
ステップ１０５は水中モードではないときの表示部４０２のことであり通常時の表示となる。通常時の表示とは図４（a）のように色温度方向（B−A：Blue−Amber方向）あるいはG−M方向（Green−Magenta方向）の少なくともどちらか一方が表示装置４０１に対して水平乃至垂直となるように表示する。図４の４０１は表示装置、４０２はユーザの指示を反映するための表示部、４０３は第1のホワイトバランス補正値（原点）、４０４は現在の補正位置、４０５は水中軸の方向（ステップ１０５ではこの表示は無くてよい）、４０６はユーザがホワイトバランス補正の指示をするための操作部材である。このような構成にすることにより、色温度方向やＧ−Ｍ方向に対してユーザが今どのような補正を行っているのかわかりやすい。例えばユーザが操作部材４０６の左方向を押下すると第1のホワイトバランス補正値４０３が左方向に移動する。つまり、高色温度方向に補正される。また、図の例では色温度方向とＧ−Ｍ方向の補正にしたが、変わりにＢ（Blue）方向とＲ（Red）方向のゲインなど他のパラメータにしてもよい。
【００２３】
ステップ１０４は水中モードのとき、つまり水中軸を使用するときの表示部４０２のことである。このとき図４（b）のように水中軸が表示装置４０１に対して水平乃至垂直となるように表示部４０２を回転し、回転に応じたガイドを表示する。このとき例えばユーザが操作部材４０６の左方向を押下すると第1のホワイトバランス補正値４０３が左方向に移動する。つまり、ステップ１０５とは違い、１回の部材操作で水中軸４０５に沿った補正が可能になる。
【００２４】
ここで水中軸４０５が表示装置４０１に対して水平乃至垂直となるように表示部４０２を回転した理由を説明する。まず、すでに説明したように水中において水中軸方向に補正をすることでユーザ所望の補正が得られることが多い。しかし、水中での部材操作は困難である。しかし、図４（a）のままでは水中軸方向に補正をするには横と縦で最低でも２回以上の部材操作が必要になってしまう。そこで１回の部材操作で水中軸方向に補正できるように表示部４０２を回転する。これにより色温度方向とＧ−Ｍ方向を意識しながら少ない操作でホワイトバランス補正が可能となる。
【００２５】
しかし、ユーザの好みに応じて、水中での第２のホワイトバランス補正はステップ１０５の状態（図４（a）の表示）で行えるようにしてもよいし、ステップ１０４の状態（図４（b）の表示）で第２のホワイトバランス補正を行った後、ステップ１０５の状態（図４（a）の表示）で再表示して図４（a）の表示においてどのように補正されたかを確認できるようにしてもよい。
【００２６】
また、カメラの姿勢が図５のように変わった場合、前記同様に水中軸方向５０５はカメラの姿勢も考慮して表示装置５０１に対して水平乃至垂直になるように表示部５０２を決定してもよい。
【００２７】
さらに、表示部４０２の空間の広さ、又は、１回の部材操作で移動する補正量は回転に応じて変化させてもよい。
【００２８】
最後にステップ１０６は第１のホワイトバランス補正値とユーザの指示したホワイトバランスの補正量に従って第２のホワイトバランス補正値を算出する。
【００２９】
なお、上述した実施形態の機能を実現するように各種のデバイスを動作させるように、上記各種デバイスと接続された装置であってもよい。あるいはシステム内のコンピュータに対し、上記実施形態の手順を実現するためのソフトウェアのプログラムコードを供給し、そのシステムあるいは装置のコンピュータに格納されたプログラムに従って上記各種デバイスを動作させることによって実施してもよい。これらも、本発明の範疇に含まれる。
【００３０】
また、上記ソフトウェアのプログラムコード自体が上述した実施形態の機能を実現することになり、そのコード自体、およびそのコードをコンピュータに供給するための手段、例えば係るプログラムコードを格納した記憶媒体は本発明を構成する。係るコードを記憶する記憶媒体としては、例えばフレキシブルディスク、ハードディスク、光ディスク、光磁気ディスク、ＣＤ−ＲＯＭ、磁気テープ、不揮発性のメモリカード、ＲＯＭ等を用いることができる。
【００３１】
また、コンピュータが供給されたプログラムコードを実行することにより、上述の実施形態の機能が実現される。さらに、そのプログラムコードがコンピュータにおいて稼働しているＯＳあるいは他のアプリケーションソフト等の共同して上述の実施形態の機能が実現される場合にもかかるプログラムコードは本発明の実施形態に含まれることは言うまでもない。
【００３２】
さらに、供給されたプログラムコードがコンピュータの機能拡張ボードや接続された機能拡張ユニットに備わるメモリに格納された後、そのコードの指示に基づいてその機能拡張ボードや機能拡張ユニットに備わるＣＰＵ等が実際の処理の一部または全部を行う。そしてその処理によって上述した実施形態の機能が実現される場合にも本発明に含まれることは言うまでもない。
【符号の説明】
【００３３】
１０１  レンズ系
１０２  撮像素子
１０３  アナログ信号処理部
１０４  Ａ／Ｄ変換部
１０５  デジタル信号処理部
１０６  一時記憶部
１０７  記録制御部
１０８  記憶媒体
１０９  表示制御部
１１０  表示装置
１１１  撮像系制御部
１１２  システム制御部
１１３  操作部
１１４  記憶部
【図１】
2014143455.tif 000003
【図２】
2014143455.tif 000004
【図３】
2014143455.tif 000005
【図４】
2014143455.tif 000006
【図５】
2014143455.tif 000007